(57)【要約】      （修正有）【課題】定形の額縁に対して互換性を有する着物帯転用のインテリアを提供する。【解決手段】着物帯の模様面を長手方向定寸に２箇所直角に切断し、筒状物を形成し、筒状物両折返し部より裏面を模様面に定寸の短冊状の取付け代を形成するよう裏面中央部を除去し、模様面取付け代を平面に展開し、裏面に模様面取付け代と等しい面を形成する補強材を接合し、全周を方形かつ定形にカットし、バイアステープで縫合または接着処理し、額縁に飾る。【選択図】図９
0003167348.tif 000002
【実用新案登録請求の範囲】
【請求項１】
着物帯の模様面を長手方向定寸に２箇所直角に切断し、筒状物（１）を形成し該筒状物両折返し部（２）（３）より裏面（模様のない面）を模様面（４）に定寸の短冊状の取付け代（６ａ）（７ａ）を形成するよう裏面中央部（５ａ）を除去し、模様面（４）取付け代（６ａ）（７ａ）を平面に展開し、裏面に（４）（６ａ）（７ａ）と等しい面を形成する補強材（８ａ）を接合し、全周を方形かつ定形にカットし、バイアステープ（９）で縫合または接着処理し、額縁（１０）に飾ることを可能とした着物帯転用のインテリア。
【請求項２】
前述，筒状物両折返し部（２）（３）の縫い代部を分解し、裏面底部（５ｂ）を除去し、模様面（４）両端の縫い代（６ｂ）（７ｂ）を取付け代として平面に展開し、裏面に（４）（６ｂ）（７ｂ）と等しい面を形成する補強材（８ｂ）を接合し、全周を方形かつ定形にカットし、バイアステープ（９）で縫合または接着処理し、額縁（１０）に飾ることを可能とした着物帯転用のインテリア。
【考案の詳細な説明】
【技術分野】
【０００１】  本考案は着物帯転用のインテリアの改良に関する。
【背景技術】
【０００２】  従来、着物帯をインテリアとして額縁に飾る場合は、帯そのものを額縁状の箱に収納展示する，または帯模様の一部を切り取り、その形状に合わせた額縁に飾るなどがあるが一般的ではない。
【考案の概要】
【考案が解決しようとする課題】
【０００３】  従来、着物帯をインテリアとして額縁状の箱に飾る場合は、帯そのものを箱に収納展示するので、内部の帯の処理がめんどうであり、また額縁も複雑で、形状も大きくなり高価になっている。
一般の額縁に比べ寸法は幅、厚み共広く、厚くなる関係から、狭い場所や通路の壁、等に設置するには支障となる問題があった。【０００４】  また、着物帯の一部を切り取り額縁に飾る方法は、好みの箇所のみ切り取るので裏面の渡り糸の処理がめんどうになるだけではなく、額縁もその都度サイズに合わせたものを製作しなければならないという問題があり、一部の篤志家が美術工芸品として一品一様で製作した高価な物であった。【０００５】  本考案はかかる不具合を解消する着物帯転用のインテリアを提供することを目的とする。
【課題を解決するための手段】
【０００６】  上記目的を達成するため、本考案においては着物帯の模様面を長手方向定寸に２箇所で切断し筒状物を形成する。【０００７】  上記筒状物の折返し部に縫い代が無い場合は模様面端に定寸の短冊状の取付け代を形成するように裏面（模様のない面）の中央部を除去する。【０００８】  上記筒状物の折返し部に縫い代がある場合は、縫い代を分離し、模様面側を残し裏面底部を除去する。【０００９】  模様面を上に両端取付け代または縫い代を平面に展開し、裏面に展開面に等しい面を形成する補強材を接合させる。補強材は模様面材質より剛性のあるものを使用する。【００１０】  模様面下面は渡り糸が存在することがあるので、上記補強材は両側取付け代または縫い代の下面と接合させる。【００１１】  元来、着物帯の幅はほぼ一定に仕上がっているが長手方向は布であるため湾曲または蛇行していることが多い。
額に入れるためには正確に方形にしなければならないので、模様面両端の取付け代または縫い代の部分および模様面上下端を額縁の嵌め込みサイズより僅かに小さい寸法で方形にカットする。【００１２】  上記カットした部分をバイアステープで縫合または接着処理する。バイアステープを含む外形は額縁の嵌め込み部に嵌合できるようにする。【００１３】  以上により形成されたインテリアは常に一定の外形となり、定形の額縁に飾ることが出来る。また，模様面両端取付部または縫い代部の接合部とバイアステープは額縁のマットの下に隠れるので額縁に飾った状態で見えることはない。
【考案の効果】
【００１４】  本考案は、以上説明したように構成されるが、以下に記載されるような効果がある。【００１５】  従来の着物帯を額縁状の箱に飾る方法に比べ額縁の幅、厚みが狭くなり、額縁のサイズが小さくなって、通路の壁など狭い場所に設置することが可能となる。
また、額縁の価格も安価となる。【００１６】  従来の着物帯の一部を切り取り額縁に飾る方法に比べ渡り糸の処理が上下端だけとなり、額縁の形状も定形化になるので価格も安価となる。【００１７】  本考案によるインテリアは常に一定の形状となるので、定形の額縁に対して互換性を有することになり、展示する帯を気分や季節、場所に応じて交換し観賞することができる。また、従来の一品一様の美術工芸品に比べ品質、機能面、生産性が向上するので、インテリアを安価に提供することも出来る。【００１８】  今や着物帯は一部の人を除いて、現代に於いては着る機会もめっきり少なくなりその多くは家庭のタンスの中に眠ったままで、有効利用されていないことが多い。
このような帯をインテリアとして定形化し再生したならば、人々の目を和ませる効果があり、かつ社会の広い範囲での利用が可能となる。
【図面の簡単な説明】
【００１９】
【図１】着物帯を長手方向に切断した形態
【図２】模様面に取付け代を形成した形態
【図３】模様面に縫い代を形成した形態
【図４】模様面を展開した形態
【図５】展開面に補強材を接合した形態
【図６】展開面を方形にカットした形態
【図７】端部全周をバイアステープで処理した形態
【図８】図７の横断面図
【図９】額縁に装着した形態
【図１０】図９の横断面図
【符号の説明】
【００２０】１    切断筒状物
２    折返し部
３    折返し部
４    模様面
５ａ  裏面中央部
５ｂ  裏面底部
６ａ  取付け代
６ｂ  縫い代
７ａ  取付け代
７ｂ  縫い代
８ａ  補強材
８ｂ  補強材
９    バイアステープ
１０  額縁
【考案を実施するための形態】
【００２１】  考案の実施の形態を実施例にもとづき図面を参照して説明する。
【実施例】
【００２２】  図７は図１から図６の過程を経て形成された着物帯転用のインテリア
図８は図７の横断面図【００２３】  図９は額縁に着物帯転用のインテリアを装着した形態
図１０は図９の横断面図
【図１】
0003167348.tif 000003
【図２】
0003167348.tif 000004
【図３】
0003167348.tif 000005
【図４】
0003167348.tif 000006
【図５】
0003167348.tif 000007
【図６】
0003167348.tif 000008
【図７】
0003167348.tif 000009
【図８】
0003167348.tif 000010
【図９】
0003167348.tif 000011
【図１０】
0003167348.tif 000012
【手続補正書】
【提出日】平成23年1月4日(2011.1.4)
【手続補正１】
【補正対象書類名】実用新案登録請求の範囲
【補正対象項目名】全文
【補正方法】変更
【補正の内容】
【実用新案登録請求の範囲】
【請求項１】
着物帯の模様面を長手方向定寸に２箇所直角に切断し、筒状物（１）を形成し、該筒状物両折返し部（２）（３）より裏面（模様のない面）を模様面（４）に定寸の短冊状の取付け代（６ａ）（７ａ）を形成するよう裏面中央部（５ａ）を除去し、模様面（４）取付け代（６ａ）（７ａ）を平面に展開し、裏面に模様面（４）取付け代（６ａ）（７ａ）と等しい面を形成する補強材（８ａ）を接合し、全周を方形かつ定形にカットし、バイアステープ（９）で縫合または接着処理し、額縁（１０）に飾ることを可能とした着物帯転用のインテリア。
【請求項２】
着物帯の模様面を長手方向定寸に２箇所直角に切断し、筒状物（１）を形成し、該筒状物両折返し部（２）（３）の縫い代部を分解し、裏面底部（５ｂ）を除去し、模様面（４）両端の縫い代（６ｂ）（７ｂ）を取付け代として平面に展開し、裏面に模様面（４）縫い代（６ｂ）（７ｂ）と等しい面を形成する補強材（８ｂ）を接合し、全周を方形かつ定形にカットし、バイアステープ（９）で縫合または接着処理し、額縁（１０）に飾ることを可能とした着物帯転用のインテリア。